(57)【特許請求の範囲】
【請求項１】
可動することでユーザの身体へ装着される装着部と、
前記装着部に設けられ、ユーザ認証を行うためにユーザの生体情報を取得する生体情報取得部と、
前記装着部の動きを検知する検知部と、
前記検知部により前記装着部がユーザの身体へ装着されることが検知されると、前記生体情報に基づく認証に係る処理を行う制御部と、を備え、
前記生体情報取得部は、前記検知部により前記装着部がユーザの身体へ装着されることが検知されると、前記生体情報を取得し、
前記制御部は、前記検知部により前記装着部がユーザの身体へ装着されることが検知されると、前記生体情報取得部をオン状態とし、
前記生体情報取得部は、予め保持した生体情報データと前記ユーザから取得した前記生体情報とを比較して前記生体情報に基づく認証を行い、
前記制御部は、前記生体情報に基づく認証が成功した後、前記生体情報取得部が正当な前記生体情報データに基づいて認証を行ったか否かを検証するため、前記生体情報取得部と前記制御部が互いに対応する鍵を保有するか否かを検証する、
電子機器。
【請求項２】
前記制御部は、前記生体情報に基づく認証が成功した後、前記生体情報取得部が正当な前記生体情報データに基づいて認証を行ったか否かを検証するため、公開鍵認証を用いて、前記対応する鍵を保有するか否かを検証する、請求項１に記載の電子機器。
【請求項３】
可動することでユーザの身体へ装着される装着部と、
前記装着部に設けられ、ユーザ認証を行うためにユーザの生体情報を取得する生体情報取得部と、
前記装着部の動きを検知する検知部と、
前記検知部により前記装着部がユーザの身体へ装着されることが検知されると、前記生体情報に基づく認証に係る処理を行う制御部と、を備え、
前記生体情報取得部は、前記検知部により前記装着部がユーザの身体へ装着されることが検知されると、前記生体情報を取得し、
前記制御部は、前記検知部により前記装着部がユーザの身体へ装着されることが検知されると、前記生体情報取得部をオン状態とし、
前記生体情報取得部は、予め保持した生体情報データと前記ユーザから取得した前記生体情報とを比較して前記生体情報に基づく認証を行い、
前記制御部は、前記生体情報に基づく認証が成功した後、前記生体情報取得部が正当な前記生体情報データに基づいて認証を行ったか否かを検証するため、前記生体情報取得部と前記制御部が共通する鍵を保有するか否かを検証する、
電子機器。
【請求項４】
前記制御部は、前記生体情報に基づく認証が成功すると、前記ユーザに所定のサービスを提供する、請求項１〜３のいずれか１項に記載の電子機器。
【請求項５】
前記制御部は、前記生体情報に基づく認証が成功すると、前記生体情報取得部をオフ状態とする、請求項１〜４のいずれか１項に記載の電子機器。
【請求項６】
前記制御部は、前記生体情報に基づく認証が失敗した場合、前記生体情報に基づく認証が成功せずに一定時間経過した場合、又は前記検知部により前記装着部が前記ユーザの身体から外されることが検知された場合は、前記生体情報取得部をオフ状態とする、請求項１〜５のいずれか１項に記載の電子機器。
【請求項７】
前記制御部は、前記生体情報に基づく認証が成功した後、前記検知部により前記装着部が前記ユーザの身体から外されることが検知された場合は、前記認証を解除して認証前のモードに復帰させる、請求項１〜６のいずれか１項に記載の電子機器。
【請求項８】
時計型の機器である、請求項１〜７のいずれか１項に記載の電子機器。
【請求項９】
前記装着部は、開閉動作を行うことで前記ユーザの腕に装着されるバックルである、請求項８に記載の電子機器。
【請求項１０】
前記装着部は、スライドしてユーザの腕に着脱されるベルトである、請求項８に記載の電子機器。
【請求項１１】
前記生体情報取得部は、前記生体情報として前記ユーザの指紋情報を取得する、請求項１〜１０のいずれか１項に記載の電子機器。
【請求項１２】
前記生体情報取得部は、前記生体情報として前記ユーザの手の静脈に関する情報を取得する、請求項１〜１０のいずれか１項に記載の電子機器。
【請求項１３】
可動することでユーザの身体へ着脱可能な装着部と、
ユーザ認証を行うために前記ユーザの生体情報を取得する生体情報取得部と、
前記装着部の動きを検知する検知部と、
前記検知部により前記装着部がユーザの身体へ装着されることが検知されると、前記生体情報に基づく認証に係る処理を行う制御部と、
を備え、
前記生体情報取得部は、前記検知部により前記装着部が前記ユーザの身体へ装着されることが検知されると、前記生体情報を取得し、
前記制御部は、前記検知部により前記装着部がユーザの身体へ装着されることが検知されると、前記生体情報取得部をオン状態とし、
前記生体情報取得部は、予め保持した生体情報データと前記ユーザから取得した前記生体情報とを比較して前記生体情報に基づく認証を行い、
前記制御部は、前記生体情報に基づく認証が成功した後、前記生体情報取得部が正当な前記生体情報データに基づいて認証を行ったか否かを検証するため、公開鍵認証を用いて、前記生体情報取得部と前記制御部が互いに対応する鍵を保有するか否かを検証する、
電子機器。
【請求項１４】
前記生体情報取得部は、前記生体情報として前記ユーザの虹彩情報を取得する、請求項１３に記載の電子機器。
【請求項１５】
ユーザの身体へ電子機器を装着するために可動する装着部の動きを検知することと、
前記装着部の動きが検知されると、前記ユーザの生体情報に基づいて認証を行うために生体情報を取得することと、
前記装着部が前記ユーザの身体へ装着されることが検知されると、前記生体情報に基づく認証に係る処理を行うことと、を含み、
前記生体情報を取得することは、前記装着部が前記ユーザの身体へ装着されることが検知されると、前記生体情報を取得することと、予め保持した生体情報データと前記ユーザから取得した前記生体情報とを比較して前記生体情報に基づく認証を行うこととを含み、
前記認証に係る処理を行うことは、前記装着部が前記ユーザの身体へ装着されることが検知されると、前記生体情報を取得するように生体情報取得部をオン状態とすることと、前記生体情報に基づく認証が成功した後、前記生体情報取得部が正当な前記生体情報データに基づいて認証を行ったか否かを検証するため、公開鍵認証を用いて、対応する鍵を保有するか否かを検証することとを含む、
認証方法。
【請求項１６】
ユーザの身体へ電子機器を装着するために可動する装着部の動きを検知する手段と、
前記装着部の動きが検知されると、ユーザの生体情報に基づいて認証を行うために生体情報を取得する手段と、
前記装着部がユーザの身体へ装着されることが検知されると、前記生体情報に基づく認証に係る処理を行う手段と、としてコンピュータを機能させ、
前記生体情報を取得する手段は、前記装着部が前記ユーザの身体へ装着されることが検知されると、前記生体情報を取得し、
前記認証に係る処理を行う手段は、前記装着部が前記ユーザの身体へ装着されることが検知されると、前記生体情報を取得する手段をオン状態とし、
前記生体情報を取得する手段は、予め保持した生体情報データと前記ユーザから取得した前記生体情報とを比較して前記生体情報に基づく認証を行い、
前記認証に係る処理を行う手段は、前記生体情報に基づく認証が成功した後、前記生体情報を取得する手段が正当な前記生体情報データに基づいて認証を行ったか否かを検証するため、公開鍵認証を用いて、前記生体情報を取得する手段と前記認証に係る処理を行う手段が互いに対応する鍵を保有するか否かを検証する、
プログラム。
【発明の詳細な説明】
【技術分野】
【０００１】
本開示は、電子機器、認証方法及びプログラムに関する。
【背景技術】
【０００２】
従来、下記の特許文献１には、ボタン表面を触ったときに指紋センシングを行い、ボタンを押しこんだときに通常のボタンとして機能するボタンを備えた機器が記載されている。
【先行技術文献】
【特許文献】
【０００３】
【特許文献１】米国特許第９１３５４９５号明細書
【発明の概要】
【発明が解決しようとする課題】
【０００４】
しかし、上記特許文献に記載された技術では、ボタンを指紋センサーと同じ面に配置する必要があり、デザイン上の自由度が低下する問題がある。特に、時計型、眼鏡型などのウェアラブルデバイスでは、デザインが重要であるため、ボタン設置による表面の凹凸は避けることが望ましい。【０００５】
また、指紋センシングを常時行うと消費電力が大きくなるが、特に時計型、眼鏡型などのウェアラブルデバイスでは、バッテリ容量に制約があるため、消費電力を低減したい要望がある。【０００６】
そこで、生体認証を行う電子機器において、デザイン上の自由度を高めるとともに、生体認証のための消費電力を最小限に抑えることが求められていた。
【課題を解決するための手段】
【０００７】
本開示によれば、可動することでユーザの身体へ装着される装着部と、前記装着部に設けられ、ユーザ認証を行うためにユーザの生体情報を取得する生体情報取得部と、を備える、電子機器、電子機器が提供される。【０００８】
また、本開示によれば、可動することでユーザの身体へ着脱される装着部と、ユーザ認証を行うためにユーザの生体情報を取得する生体情報取得部と、前記装着部の動きを検知する検知部と、を備え、前記生体情報取得部は、前記検知部により前記装着部がユーザの身体へ装着されることが検知されると、前記生体情報を取得する、電子機器が提供される。【０００９】
また、本開示によれば、ユーザの身体へ電子機器を装着するために可動する装着部の動きを検知することと、前記装着部の動きが検知されると、ユーザの生体情報に基づいて認証を行うために生体情報を取得することと、を備える、認証方法が提供される。【００１０】
また、本開示によれば、ユーザの身体へ電子機器を装着するために可動する装着部の動きを検知する手段、前記装着部の動きが検知されると、ユーザの生体情報に基づいて認証を行うために生体情報を取得する手段、としてコンピュータを機能させるためのプログラムが提供される。
【発明の効果】
【００１１】
以上説明したように本開示によれば、生体認証を行う電子機器において、デザイン上の自由度を高めるとともに、生体認証のための消費電力を最小限に抑えることが可能となる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態に係る電子機器の概略構成を示す模式図である。
【図２】バックルの表側を示す模式図である。
【図３】バックルを裏側から見た状態を示す模式図である。
【図４】電子機器の認証モードを示す模式図である。
【図５】プッシュスイッチの代わりに磁気型近接センサーを用いた例を示す模式図である。
【図６】プッシュスイッチの代わりに照度センサーを用いた例を示す模式図である。
【図７】ベルトが革ベルト等から構成され、バックルではなく穴入れタイプにより電子機器をユーザの腕に装着する場合を示す模式図である。
【図８】電子機器の構成を示すブロック図である。
【図９】本実施形態の他の態様を示す模式図である。
【図１０】眼鏡型デバイスの認証モードを示す模式図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．電子機器の外観の構成例
２．電子機器の認証モード
３．ベルトが革ベルトから構成された例
４．電子機器のブロック構成例
５．指紋センサーと制御部の紐付け方法
６．眼鏡型デバイスへの適用例
【００１５】
１．電子機器の外観の構成例
まず、図１を参照して、本開示の一実施形態に係る電子機器１０００の概略構成について説明する。図１に示すように、電子機器１０００は、時計型のウェアラブルデバイスとして構成されている。電子機器１０００は、本体部１００、ユーザの腕に装着するためのベルト２００、バックル（装着部）３００、を有して構成されている。本体部１００には、表示部１８０が設けられている。電子機器１０００のユーザは、電子機器１０００のベルト２００を腕に通し、バックル３００を締めることで、電子機器１０００を腕に装着することができる。その後、ユーザは、所定の認証処理を行うことで、電子機器１０００により利用可能なサービスを受けることができる。利用可能なサービスとして、例えばメール、ＳＮＳ、電子マネー、スマートロック等の鍵機能、Ｗｉ−Ｆｉ／４Ｇ等が挙げられる。
【００１６】
表示部１８０は、その表面にタッチセンサが設けられることで、タッチパネルとして機能する。ユーザは、表示部１８０をタッチすることで、操作情報を電子機器１０００に入力することができ、上述した各種サービスを利用することができる。
【００１７】
図２は、バックル３００の表側を示す模式図である。図２に示すように、電子機器１０００のバックル３００には、指紋センサー（生体情報取得部）３０２が設けられている。指紋センサー３０２は、ＣＣＤやＣＭＯＳ等の撮像素子で指紋画像を取得する光学式、指の皮膚から半導体表面までの距離が隆線部と谷線部で異なることで静電容量に差が生じることを利用して指紋を読み取る静電容量方式、センサーの露出電極から指に注入された電磁波が導電率の高い真皮を通じて伝搬し指表面から放射される際に真皮から半導体表面までの距離が隆線部と谷線部で異なることで電界強度に差が生じることを利用して指紋を読み取る電解強度測定方式、圧力によって指紋の溝の凹凸を読み取る感圧式、温度によって指紋の溝の凹凸を読み取る感熱式等の方式によりユーザの指紋の認証を行う。指紋センサー３０２は、バックル３００の表面上に、ユーザがバックル３００を締める際に指で押す場所に設けられている。なお、指紋センサー３０２は、ベルト２００、または本体部１００に設けられていても良い。また、指紋センサー３０２の代わりに、ユーザの他の生体情報を取得するセンサーを設けても良く、例えばユーザの手の静脈情報を取得するセンサー、ユーザの声（声紋）の情報を取得するセンサー等を設けても良い。
【００１８】
図３は、バックル３００を裏側から見た状態を示す模式図である。図２に示すように、バックル３００の裏面には、プッシュスイッチ（検知部）３０４が設けられている。ユーザがバックル３００を締める（閉じる）と、プッシュスイッチ３０４が押され、プッシュスイッチ３０４がオン（ＯＮ）状態となる。一方、ユーザがバックル３００を開放すると、プッシュスイッチ３０４がオフ（ＯＦＦ）状態となる。
【００１９】
２．電子機器の認証モード
図４は、電子機器１０００の認証モードを示す模式図である。ユーザが電子機器１０００を腕に装着する前は、認証前モードＭ１０であり、ユーザ本人が利用可能なサービスを使うことができない。ユーザが電子機器１０００を腕に装着してバックル３００を十分に折り畳むと、プッシュスイッチ３０４がオン状態となり、認証中モードＭ１２へ遷移する。認証中モードＭ１２へ遷移すると、指紋センサー３０２がセンシングを開始する。これにより、ユーザの指の指紋による認証が行われる。
【００２０】
指紋認証が成功すると、認証後モードＭ１４へ遷移する。認証後モードは、本人だけが利用可能なサービスを受けられる状態である。認証後モードＭ１４では、認証を行ったユーザ本人が正規の利用者として認められた状態となり、ユーザ本人が利用可能なサービスを受けることが可能になる。また、認証後モードＭ１４に遷移すると、指紋センサー３０２がオフ（ＯＦＦ）となる。認証後モードＭ１４は、ユーザがバックル３００を開くまで基本的に継続する。認証後モードＭ１４において、バックル３００が開かれてプッシュスイッチ３０４がオフになると、一定時間経過後に認証前モードＭ１０に遷移する。
【００２１】
認証中モードＭ１２は、プッシュスイッチ３０４がオン状態になってから所定時間だけ設定される。この所定時間の間に指紋認証が成功しなかった場合は、認証前モードＭ１０に戻る。また、この所定時間の間にバックル３００が開かれてプッシュスイッチ３０４がオフになった場合も、認証前モードに戻る。
【００２２】
以上のように、本実施形態によれば、バックル３００が締められてプッシュスイッチ３０４がオンになると指紋センサー３０２がオンになり、バックル３００が開かれてプッシュスイッチ３０４がオフになると指紋センサー３０２がオフになる。また、指紋センサー３０２は、バックル３００が締められてプッシュスイッチ３０４がオンになってから所定時間の間のみオンとなる。従って、指紋センサー３０２が常時オンにならないため、消費電力を大幅に低減することが可能となる。
【００２３】
また、指紋センサー３０２は、ユーザがバックル３００を締める際に指で押す場所に設けられているため、ユーザがバックル３００を締めて指紋センサー３０２がオンになると同時に指紋認証を行うことが可能である。
【００２４】
また、指紋センサー３０２のオン／オフを切り換えるプッシュスイッチ３０４をバックル３００の裏側に配置したことにより、バックル３００の表側、または電子機器１０００の表側にプッシュスイッチ３０４が配置されることがなく、電子機器１０００のデザインの自由度を高めることができ、デザイン上の制約を最小限に抑えることが可能となる。
【００２５】
なお、表示部１８０にＬＥＤ，ＬＣＤ等による点灯、表示等を行い、認証中モードＭ１２中に指紋センサー３０２がオンになっていることをユーザに注意喚起しても良い。
【００２６】
また、指紋センサー３０２のオン／オフを切り換えるスイッチとしてプッシュスイッチ３０４を例示したが、図５に示すような磁気型近接センサー３０６を用いても良い。図５に示す例では、バックル３００の裏側に磁気型近接センサー３０６と磁石３０８を配置し、バックル３００が締まると磁気型近接センサー３０６と磁石３０８が近接し、磁気型近接センサー３０６が磁石３０８の磁気を検知する。そして、磁気型センサー３０６が磁石３０８の磁気を検知すると、指紋センサー３０２をオンにする。
【００２７】
また、図６に示すように、プッシュスイッチ３０４の代わりに、バックル３００の裏側に照度センサー３１０を配置し、照度センサーによりバックル３００が締められたことを検知しても良い。バックル３００が開放されると照度センサー３１０が光を検知してオンとなり、バックル３００が閉じられると照度センサー３１０が光を検知せずにオフとなるため、照度センサー３１０によりバックルが閉じられたか否かを検知できる。
【００２８】
なお、バックル３００が閉じられてから一定時間のみ指紋センサー３０２をオンできれば良く、バックル３００の開閉検知の手法は上記に限定されるものではない。
【００２９】
また、バックル３００のタイプとしては様々なものがあるが、特にそのタイプは限定されるものではなく、プッシュスイッチ３０４等のスイッチによりバックル３００が閉じたことが検知できれば良い。
【００３０】
また、認証後モードＭ１４で例えば２４時間などの長時間が経過した場合に、認証前モードＭ１０に遷移させても良い。
【００３１】
また、プッシュスイッチ３０４のオン以外のトリガーに応じて認証中モードＭ１２へ遷移させても良い。例えば、電子機器１０００の装着時に指紋認証が成功した後、電子機器１０００を用いてインターネットを通じてアプリケーション等を購入する際に、本人確認を行うため再度指紋認証を行っても良い。この場合、ユーザ操作によるアプリケーション等の購入の意思表示をトリガーとして、認証中モードＭ１２への遷移が行われる。
【００３２】
アプリケーション等の購入をトリガーとする認証中モードＭ１２への遷移は、認証前モードＭ１０からも行われる。例えば、認証前モードＭ１０から認証中モードＭ１２へ遷移し、指紋認証が失敗したり、一定時間経過等により認証前モードＭ１０へ戻った場合に、ユーザが認証前モードＭ１０で電子機器１０００を時計機能のみを使用することもできる。この際、ユーザがインターネットを通じてアプリケーション等を購入しようとすると、本人確認を行うため認証前モードＭ１０から認証中モードＭ１２へ遷移し、本人確認のための指紋認証が行われる。なお、これらの、プッシュスイッチ３０４のオン以外のトリガーを、ソフトウェアトリガーと称することとする。
【００３３】
３．ベルトが革ベルトから構成された例
図７は、ベルト２００が革ベルト等から構成され、バックル３００ではなく穴入れタイプにより電子機器１０００をユーザの腕に装着する場合を示す模式図である。このタイプの場合、ベルト２００の先端に磁石３０８を配置し、ベルト２００の先端が挿入される定革（又は遊革２０３）２０２の内側に磁気型近接センサー３０６を配置する。また、定革２０２の外側に指紋センサー３０２が配置される。なお、ベルト２００に定革２０２と並んで遊革が設けられている場合、遊革２０３の内側に磁気型近接センサー３０６を配置し、遊革２０３の外側に指紋センサー３０２を配置しても良い。
【００３４】
図７に示す構成によれば、ベルト２００の先端が定革２０２に挿入されて電子機器１０００がユーザの腕に装着されると、磁気型近接センサー３０６が磁石３０８の磁気を検知し、指紋センサー３０２をオンにする。これにより、認証前モードＭ１０から認証中モードＭ１２への遷移が行われる。
【００３５】
また、定革２０２の外側に指紋センサー３０２が配置されるため、ベルト２００の先端が定革２０２に挿入されるタイミングで、定革２０２にユーザの指の指紋が触れることになり、指紋認証を行うことができる。
【００３６】
図７に示す構成において、指紋センサー３０２は、定革２０２の外側ではなく、ベルト２００自体や美錠２０４の外側に配置しても良い。また、磁気型近接センサー３０６についても、定革２０２の内側ではなく、美錠２０４の内側に配置しても良い。また、磁石３０８は、ベルト２００の先端ではなく、ベルト２００の全体又はその一部、または子穴２０６の近傍に配置しても良い。
【００３７】
なお、図７に示す構成においても、磁気型近接センサー３０６の代わりにプッシュスイッチ３４０を利用してベルト２００の一端が定革２０２に差し込まれたことを検知しても良い。その場合、磁石３０８は不要である。
【００３８】
４．電子機器のブロック構成例
図８は、電子機器１０００の構成を示すブロック図である。図６に示すように、電子機器１０００は、表示部１８０、指紋センサー３０２、プッシュスイッチ３０４、制御部（マイクロコンピュータ）４００、電池５００を有して構成されている。表示部１８０、制御部４００は、本体部１００に設けられる。また、電池５００は、本体部１００、ベルト２００、またはバックル３００の内部に設けられる。
【００３９】
ユーザが電子機器１０００を腕に装着してバックル３００を締めると、プッシュスイッチ３０４がオンになり、その旨の信号（プッシュスイッチオン信号）が制御部４００に送られる。制御部４００は、プッシュスイッチオン信号を受け取ると、指紋センサー３０２をオンにする。これにより、認証前モードＭ１０から認証中モードＭ１２へ遷移し、指紋センサー３０２がセンシングを開始する。
【００４０】
指紋認証を行うため、電子機器１０００は予めユーザの指紋情報を保管している。指紋情報は、指紋センサー３０２、または制御部４００に保管される。指紋センサー３０２に指紋情報が保管される場合、指紋情報は指紋センサー３０２が備えるマイクロコンピュータ３０２ａに保管される。この場合、マイクロコンピュータ３０２ａは、保管している指紋情報と指紋センサー３０２が取得したユーザの指紋の情報とを比較し、認証の成否を判断し、認証の可否を示す認証成否情報を制御部４００へ送る。
【００４１】
制御部４００は、認証成否情報を受け取ると、認証成否情報に基づいて、認証が成功した場合は、認証中モードＭ１２から認証後モードＭ１４へ遷移させ、ユーザが利用可能なサービスを提供可能とする。一方、制御部４００は、認証が失敗した場合は、認証中モードＭ１２から認証前モードＭ１０へ遷移させる。
【００４２】
また、制御部４００に指紋情報が保管される場合、指紋センサー３０２は、取得したユーザの指紋の情報を制御部４００に送る。制御部４００は、指紋センサー３０２が取得したユーザの指紋の情報を取得する。制御部４００は、保管している指紋情報と指紋センサー３０２が取得したユーザの指紋の情報とを比較し、認証の成否を判断する。制御部４００は、認証が成功した場合は、認証中モードＭ１２から認証後モードＭ１４へ遷移させ、ユーザが利用可能なサービスを提供可能とする。一方、制御部４００は、認証が失敗した場合は、認証中モードＭ１２から認証前モードＭ１０へ遷移させる。
【００４３】
また、制御部４００は、認証中モードＭ１２から認証後モードＭ１４へ遷移させた場合は、指紋センサー３０２をオフにする。その後、ソフトウェアトリガーにより本人確認を行う必要が生じた場合、制御部４００は、指紋センサー３０２をオンにして再度指紋認証を行う。
【００４４】
また、制御部４００は、プッシュスイッチオン信号に基づいて指紋センサー３０２をオンにした後、一定時間が経過しても認証が成功しない場合は、認証中モードＭ１２から認証前モードＭ１０へ遷移させる。また、制御部４００は、プッシュスイッチオン信号に基づいて指紋センサー３０２をオンにした後、バックル３００が開かれてプッシュスイッチ３４０がオフになった場合は、認証中モードＭ１２から認証前モードＭ１０へ遷移させる。
【００４５】
また、制御部４００は、認証後モードＭ１４において、バックル３００が開かれてプッシュスイッチ３０４がオフになると、一定時間経過後に認証前モードＭ１０に遷移させる。
【００４６】
更に、制御部４００は、認証中モードＭ１２から認証前モードＭ１０に遷移した後、ソフトウェアトリガーにより本人確認を行う必要が生じた場合、指紋センサー３０２をオンにして認証中モードＭ１２へ遷移させる。
【００４７】
５．指紋センサーと制御部の紐付け方法
次に、指紋センサー３０２と制御部４００の紐付け方法について説明する。ユーザの指紋情報が指紋センサー３０２のマイクロコンピュータ３０２ａに保管されている場合、指紋センサー３０２がマイクロコンピュータ３０２ａとともに不正に交換されてしまうと、交換されたマイクロコンピュータ３０２ａに保管された指紋情報に基づいて指紋認証が行われてしまい、正当でないユーザによる指紋認証が成功してしまう可能性がある。このため、制御部４００が指紋センサー３０２から認証成否信号を受け取った際に、その信号が制御部４００から見て正当な指紋センサー３０２から発信されたものであるか検証する。これにより、正当でない指紋センサー３０２に制御部４００が接続されている場合に、正当でない指紋センサー３０２からの認証成否信号に基づいてサービスが提供されてしまうことを回避できる。
【００４８】
ここで、制御部４００が保有する鍵Ｋ１と対になる鍵Ｋ２を保有する指紋センサー３０２を、正当な指紋センサー３０２とする。ここで、対になる鍵Ｋ１と鍵Ｋ２の定義、及びその検証方法として２つの方法を想定する。第１の方法は、鍵Ｋ１と鍵Ｋ２を公開鍵と秘密鍵のペアとする方法である。制御部４００は、鍵Ｋ１を検証鍵（公開鍵）、Ｋ２を署名鍵（秘密鍵）とし、チャレンジ＆レスポンスの公開鍵認証により、指紋センサー３０２が鍵Ｋ１に対応する鍵Ｋ２を保有することを検証する。
【００４９】
第２の方法は、鍵Ｋ１＝鍵Ｋ２の共通鍵とする方法である。制御部４００は、鍵Ｋ１＝鍵Ｋ２をＭＡＣ（Ｍｅｓｓａｇｅ  Ａｕｔｈｅｎｔｉｃａｔｉｏｎ  Ｃｏｄｅ）または共通鍵暗号（ＡＥＳなど）の共通鍵とし、チャレンジ＆レスポンスの共通鍵認証により、指紋センサー３０２と制御部４００が共通の鍵Ｋ１＝鍵Ｋ２を保有することを検証する。
【００５０】
鍵Ｋ１と鍵Ｋ２の初期設定方法として、以下の４つの方法が想定できる。第１の方法は、鍵Ｋ１と鍵Ｋ２を工場出荷時にあらかじめ設定しておく方法である。第２の方法は、電子機器１０００の初期設定時にＤＨ鍵共有などの手法で、共通の鍵Ｋ１＝Ｋ２を共有する方法である（共通鍵の場合のみ）。
【００５１】
第３の方法は、制御部４００が鍵Ｋ１と鍵Ｋ２を生成し、鍵Ｋ２を指紋センサー３０２に送信することにより鍵Ｋ２を設定する方法である。第４の方法は、指紋センサー３０２が鍵Ｋ１と鍵Ｋ２を生成し、鍵Ｋ１を指紋センサー３０２のマイクロコンピュータ３０２ａに送信することで鍵Ｋ１を設定する方法である。
【００５２】
但し、第４の方法の場合、どのような鍵Ｋ１であってもマイクロコンピュータ３０２ａにいつでも設定可能としてしまうと、「正当でない」指紋センサーに鍵Ｋ１を設定（上書き）されてしまう可能性もある。このため、例えば、マイクロコンピュータ３０２ａに鍵Ｋ１が未設定の場合のみ鍵Ｋ１の設定を受け入れるが、既に鍵Ｋ１が設定されている場合は鍵Ｋ１の上書きは不可とするなど、マイクロコンピュータ３０２ａに設定された鍵Ｋ１を書き換えられないようにしておくことが望ましい。
【００５３】
なお、時計などベルト２００は革製のものなども多く、デザインの都合上、制御部４００と指紋センサー３０２が有線で接続できない場合も考えられる。その際は、ＮＦＣ、Ｂｌｕｅｔｏｏｔｈ（登録商標）、ＴｒａｎｓｆｅｒＪｅｔなどの近距離無線で制御部４００と指紋センサー３０２が通信することになるが、このような場合には、第三者からの攻撃のハードルが下がるため、特に指紋センサー３０２と制御部４００の紐づけの重要性は高くなる。従って、上述した鍵を用いた紐付けを行うことが好適である。
【００５４】
以上説明したように本実施形態によれば、ユーザに装着される時計型の電子機器１０００のバックル３００に指紋センサー３０２を設け、プッシュスイッチ３０４によってバックルが閉じられた場合に指紋センサー３０４のオン状態とするようにしたため、指紋センシングを常時行う必要が無くなり、消費電力を大幅に低減することが可能となる。また、バックル３００を締める際にバックル３００が指で押される位置に指紋センサー３０２を配置したことにより、バックル３００が閉められると同時に指紋認証を行うことができる。更に、バックル３００の背面に指紋センサー３０２を配置したことにより、本体部１００の表面に指紋センサー３０２による凹凸が形成されることを回避することができ、デザイン上の自由度を大幅に高めることが可能となる。
【００５５】
６．眼鏡型デバイスへの適用例
図９は、本実施形態の他の態様を示す模式図である。図９に示す例では、眼鏡型デバイス２０００に適用した例を示している。眼鏡型デバイス２０００は、ＨＭＤ（Head  Mounted  Display）と称する）として構成され、本体部１００、表示部１８０、ヒンジ２１００、レンズ２２００、操作入力部（操作スイッチ）２３００を有して構成される。上述した電子機器１０００と同様に、ユーザは、メール、ＳＮＳ、電子マネー、スマートロック等の鍵機能、Ｗｉ−Ｆｉ／４Ｇ等のサービスを眼鏡型デバイス２０００を介して利用可能である。
【００５６】
表示部１８０は、眼鏡型デバイス２０００のレンズ２２００の部分に設けられ、透明または半透明の状態のまま、テキストや図等の画像を表示することで、実空間の風景にＡＲの仮想オブジェクト（ＧＵＩ）を重畳表示することができる。即ち、眼鏡型デバイス２０００は、透過型のＨＭＤ（Head  Mounted  Display）と称する）とされている。なお、眼鏡型デバイス２０００は、透過型のものでなくても良い。すなわち、レンズ２２００とは別体に表示部１８０が設けられており、ユーザの瞳に画像を提供するものであっても良い。
【００５７】
図９に示すように、眼鏡型デバイス２０００のテンプル２１００には、指紋センサー３０２が配置されている。指紋センサー３０２は、テンプル２１００の外側、又は内側に配置することができる。
【００５８】
眼鏡型デバイス２０００のヒンジ（蝶番）２４００には、プッシュスイッチ３０４が配置されている。プッシュスイッチ２０４は、ユーザが眼鏡型デバイス２０００を顔に装着するためにテンプル２１００を開くと、オン状態となる。これにより、認証前モードＭ１０から認証中モードＭ１２へ遷移し、指紋センサー３０２がオン状態となる。
【００５９】
以上のように構成された眼鏡型デバイス２０００においても、プッシュスイッチ３０４の状態に応じて、図４と同様のモード遷移が行われる。図１０は、眼鏡型デバイス２０００の認証モードを示す模式図である。図４では、バックル３００の動作に応じたプッシュスイッチ３０４のオン／オフ状態に基づいてモード遷移を行ったが、図１０では、テンプル２１００の動作に応じたプッシュスイッチ３０４のオン／オフ状態に基づいてモード遷移を行う。それ以外の処理は、図４と同様である。
【００６０】
図９及び図１０に示す構成によれば、テンプル２１００を開いてユーザが眼鏡型デバイス２０００を顔に装着しようとすると、指紋センサー３０２がオン状態となり、指紋認証が行われる。このとき、テンプル２１００を開く際に、ユーザが指でテンプル２１００を保持する場所に指紋センサー３０２を設けることで、テンプル２１００を開くと同時に指紋認証を行うことができる。これにより、テンプル２１００が十分に開かれたタイミングで指紋センシングを開始することができる。
【００６１】
また、指紋センサー３０２の代わりに、ユーザの他の生体情報を取得するセンサーを設けても良い。例えば、図９に示すように、ユーザの眼の虹彩を検出するセンサー２５００を設けておき、虹彩センシングを利用した虹彩認証を行っても良い。この場合、制御部４００又はセンサー２５００のマイクロコンピュータに予めユーザの虹彩情報を保持しておき、認証時にセンサー２５００が取得したユーザの虹彩の情報と、予め保持しておいた虹彩情報を比較することで認証を行う。虹彩センシングを行うセンサー２５００の例としては、ＣＣＤやＣＭＯＳなどの撮像素子が挙げられる。虹彩センシングを行うセンサー２５００は、虹彩が撮影しやすいようリムやブリッジの内向きに配置しても良い。また、近赤外光を照射するＬＥＤにより目に照明を当てても良い。
【００６２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００６４】
なお、以下のような構成も本開示の技術的範囲に属する。
（１）  可動することでユーザの身体へ装着される装着部と、
前記装着部に設けられ、ユーザ認証を行うためにユーザの生体情報を取得する生体情報取得部と、
を備える、電子機器。
（２）  前記装着部の動きを検知する検知部を備え、
前記生体情報取得部は、前記検知部により前記装着部がユーザの身体へ装着されることが検知されると、前記生体情報を取得する、前記（１）に記載の電子機器。
（３）  前記検知部により前記装着部がユーザの身体へ装着されることが検知されると、前記生体情報に基づく認証に係る処理を行う制御部を備える、前記（２）又は（２）に記載の電子機器。
（４）  前記制御部は、前記検知部により前記装着部がユーザの身体へ装着されることが検知されると、前記生体情報取得部をオン状態とする、前記（１）〜（３）のいずれかに記載の電子機器。
（５）  前記制御部は、前記生体情報に基づく認証が成功すると、ユーザに所定のサービスを提供する、前記（３）又は（４）に記載の電子機器。
（６）  前記制御部は、前記生体情報に基づく認証が成功すると、前記生体情報取得部をオフ状態とする、前記（３）〜（５）のいずれかに記載の電子機器。
（７）  前記制御部は、前記生体情報に基づく認証が失敗した場合、前記生体情報に基づく認証が成功せずに一定時間経過した場合、又は前記検知部により前記装着部がユーザの身体から外されることが検知された場合は、前記生体情報取得部をオフ状態とする、前記（３）〜（６）のいずれかに記載の電子機器。
（８）前記制御部は、前記生体情報に基づく認証が成功した後、前記検知部により前記装着部がユーザの身体から外されることが検知された場合は、前記認証を解除して認証前のモードに復帰させる、前記（３）〜（７）のいずれかに記載の電子機器。
（９）  前記生体情報取得部は、予め保持した生体情報データとユーザから取得した前記生体情報とを比較して前記生体情報に基づく認証を行い、
前記制御部は、前記生体情報に基づく認証が成功した後、前記生体情報取得部が正当な前記生体情報データに基づいて認証を行ったか否かを検証するため、前記生体情報取得部と前記制御部が互いに対応する鍵を保有するか否かを検証する、前記（３）〜（８）のいずれかに記載の電子機器。
（１０）  前記生体情報取得部は、予め保持した生体情報データとユーザから取得した前記生体情報とを比較して前記生体情報に基づく認証を行い、
前記制御部は、前記生体情報に基づく認証が成功した後、前記生体情報取得部が正当な前記生体情報データに基づいて認証を行ったか否かを検証するため、前記生体情報取得部と前記制御部が共通する鍵を保有するか否かを検証する、前記（３）〜（８）のいずれかに記載の電子機器。
（１１）  時計型の機器である、前記（１）〜（１０）のいずれかに記載の電子機器。
（１２）  前記装着部は、開閉動作を行うことでユーザの腕に装着されるバックルである、前記（１１）に記載の電子機器。
（１３）  前記装着部は、スライドしてユーザの腕に着脱されるベルトである、前記（１１）に記載の電子機器。
（１４）  前記生体情報取得部は、前記生体情報としてユーザの指紋情報を取得する、前記（１）〜（１３）のいずれかに記載の電子機器。
（１５）  前記生体情報取得部は、前記生体情報としてユーザの手の静脈に関する情報を取得する、前記（１）〜（１３）のいずれかに記載の電子機器。
（１６）  可動することでユーザの身体へ着脱される装着部と、
ユーザ認証を行うためにユーザの生体情報を取得する生体情報取得部と、
前記装着部の動きを検知する検知部と、を備え、
前記生体情報取得部は、前記検知部により前記装着部がユーザの身体へ装着されることが検知されると、前記生体情報を取得する、電子機器。
（１７）  前記生体情報取得部は、前記生体情報としてユーザの虹彩情報を取得する、前記（１６）に記載の電子機器。
（１８）  ユーザの身体へ電子機器を装着するために可動する装着部の動きを検知することと、
前記装着部の動きが検知されると、ユーザの生体情報に基づいて認証を行うために生体情報を取得することと、
を備える、認証方法。
（１９）  ユーザの身体へ電子機器を装着するために可動する装着部の動きを検知する手段、
前記装着部の動きが検知されると、ユーザの生体情報に基づいて認証を行うために生体情報を取得する手段、
としてコンピュータを機能させるためのプログラム。
【符号の説明】
【００６５】
１０００    電子機器
３００      バックル
３０２      指紋センサー
３０４      プッシュスイッチ
４００      制御部
【図１】
0006743883.tif 000002
【図２】
0006743883.tif 000003
【図３】
0006743883.tif 000004
【図４】
0006743883.tif 000005
【図５】
0006743883.tif 000006
【図６】
0006743883.tif 000007
【図７】
0006743883.tif 000008
【図８】
0006743883.tif 000009
【図９】
0006743883.tif 000010
【図１０】
0006743883.tif 000011